(57)【要約】      （修正有）【課題】タバコ箱の荷崩れを起こすこと無く、視認性を高め、前後２列の縦積み状態に陳列されたタバコ箱の先入れ先出しを可能とするタバコ専用什器を提供する。【解決手段】背板１の調節により、タバコ箱の取り出しと、背板をスライドさせる際のスムーズな動きを実現している。具体的にはタバコ箱を取り出す際、背板に上段のタバコ箱が当たるとしなりが発生する。このしなりが振動となって、背板を後方へと押し下げ、タバコ箱の縦積みが崩れる原因となる。この問題については背板の厚みと重さの調節により、タバコ箱が取り出される際に発生するしなりを抑えている。【選択図】図１
0003163643.tif 000002
【実用新案登録請求の範囲】
【請求項１】
駅売店などの店舗では、先入れ先出しの為に、棚に縦積みされたタバコ箱の最下段から抜き取り、販売をしている。しかしタバコ箱の荷崩れや、店内に縦積みにされたタバコ箱は、購入者側よりタバコ銘柄の可視性が悪く、店内に品揃えされたタバコ銘柄を購入者へ認知させられない視認性の点で問題があることから、本考案では、タバコ箱の荷崩れを起こすこと無く、視認性を高め、（前・後）２列の縦積み状態に陳列されたタバコ箱の先入れ先出しを可能とするスライド式タバコ専用什器とした。
【考案の詳細な説明】
【技術分野】
【０００１】  本考案は、タバコ箱の荷崩れを起こすこと無く、（前・後）２列の縦積み状態に陳列されたタバコ箱の先入れ先出しを可能とした「スライド式タバコ専用什器」に関する。
【背景技術】
【０００２】  先に入荷された商品から先に出荷する。いわゆる「先入れ先出し」が商品販売において重視されるが、タバコ販売においても同様、先に陳列したものから順に販売することが基本的なルールとされている。売店などの狭小な売り場で、縦積み状態のタバコを、下の方から順に取り出すことにより、先入れ先出しを可能にした什器が使用されている。それらは、縦１列の縦積みタバコ箱にのみ対応するものであり、狭小スペースでの整理整頓を図る事を目的とした什器である。
【考案の概要】
【考案が解決しようとする課題】
【０００３】  駅売店などの店舗では、先入れ先出しの為に、棚に縦積みされたタバコ箱の最下段から抜き取り、販売をしている。しかしタバコ箱の荷崩れや、店内に縦積みにされたタバコ箱は、購入者側よりタバコ銘柄の可視性が悪く、店内に品揃えされたタバコ銘柄を購入者へ認知させられない視認性の点で問題があることから、本考案では、タバコ箱の荷崩れを起こすこと無く、視認性を高め、（前・後）２列の縦積み状態に陳列されたタバコ箱の先入れ先出しを可能とすることを最大の課題とする。
【課題を解決するための手段】
【０００４】  本考案は、以下３つの大きな特徴を有する。
▲１▼本体内部のレール上に置かれたタバコ箱を、スライド式の背板によって前方へ移動させる。
▲２▼什器本体形状を箱型にする。
▲３▼正面部にダミーと呼ばれるタバコ箱を模したカードの取り付け部を設置。
【考案の効果】
【０００５】  前記▲１▼により（前・後）２列の縦積み状態に陳列されたタバコ箱の陳列において、先入れ先出しを容易とした。【０００６】  前記▲２▼により、それまで棚に縦積み状態で陳列するだけであったタバコ箱の荷崩れを防ぎ、整理陳列および容易な移動を可能にした。【０００７】  前記▲３▼により、購入希望者が商品をより短時間で明確に指定できるよう、売り場におけるタバコ箱の視認性を向上させた。
【図面の簡単な説明】
【０００８】
【図１】本考案の実施例であるスライド式タバコ専用什器の正面図である。
【図２】本考案の天面図である。
【図３】本考案の側面図である
【考案を実施するための形態】
【０００９】  駅売店などの店舗では、先入れ先出しの為に、棚に縦積みされたタバコ箱の最下段から抜き取り、販売をしている。しかしタバコ箱の荷崩れや、店内に縦積みにされたタバコ箱は、購入者側よりタバコ銘柄の可視性が悪く、店内に品揃えされたタバコ銘柄を購入者へ認知させられない視認性の点で問題があることから、本考案では、タバコ箱の荷崩れを起こすこと無く、（前・後）２列の縦積み状態に陳列されたタバコ箱の先入れ先出しを可能とするスライド式タバコ専用什器とした。
【符号の説明】
【００１０】  １  背板
２  レール
３  かき出し棒
４  ダミーホルダー
５  受け板
６  位置合わせ板
７Ａ〜Ｆ  滑り止め【００１１】  背板（符号１）の調節により、タバコ箱の取り出しと、背板をスライドさせる際のスムーズな動きを実現している。具体的にはタバコ箱を取り出す際、背板に上段のタバコ箱が当たるとしなりが発生する。このしなりが振動となって、背板を後方へと押し下げ、タバコ箱の縦積みが崩れる原因となる。この問題については背板の厚みと重さの調節により、タバコ箱が取り出される際に発生するしなりを抑え、上記問題を解消している。また摩擦によらない前記解決方法により、背板のスムーズな移動を可能にしている。【００１２】  前後２列並んだタバコ箱を取り出す際に、双方のタバコ箱が引っ掛かり、前列のタバコ箱が落下しない問題が発生するが、背板（符号１）の下部の厚みの調節により、前後のタバコ箱の高さを変え、タバコ箱が引っ掛かることなく、スムーズに落下することを可能にしている。【００１３】  受け板（符号５）によってタバコ箱が前面にスライドさせる際の軌道のぶれに対して、正しい位置へと導くようガイドの役割を果たしている。【００１４】  位置合わせ板（符号６）によって、本考案である什器を横一列に併設する際、面を合わせる役割を果たし、売り場の整理整頓を容易にする。【００１５】  滑り止め（７Ａ〜Ｆ）によって、タバコ箱をスライドさせる際や、タバコ箱を取り出す際に生じる本体そのもののズレの発生を抑制している。また奥行の違う棚にも対応できるよう滑り止めは６ヵ所に取り付けている。
【図１】
0003163643.tif 000003
【図２】
0003163643.tif 000004
【図３】
0003163643.tif 000005
【手続補正書】
【提出日】平成21年12月8日(2009.12.8)
【手続補正１】
【補正対象書類名】実用新案登録請求の範囲
【補正対象項目名】全文
【補正方法】変更
【補正の内容】
【実用新案登録請求の範囲】
【請求項１】
本考案では、縦積みのたばこ箱が、前後２列以上陳列された状態での先入れ先出しを実現するにおいて
１）全体形状を箱型にすることによりたばこ箱を荷崩れすることなく収納し、
２）符号２のレール上にセットされた符号１の背板を符号３のかき出し棒によって、スライドさせることにより、前列のたばこ箱が全て無くなったのち、後列のたばこ箱を前方へかき出すことを可能にし、
３）視認性を高めるために符号４のダミーホルダーに、たばこ箱のケースを模したダミーカードを挿し込めるようにした、
以上からなるスライド式タバコ専用什器。
【手続補正書】
【提出日】平成22年3月16日(2010.3.16)
【手続補正１】
【補正対象書類名】実用新案登録請求の範囲
【補正対象項目名】全文
【補正方法】変更
【補正の内容】
【実用新案登録請求の範囲】
【請求項１】
本考案では、縦積みのたばこ箱が、前後２列以上陳列された状態での先入れ先出しを実現するにおいて１）全体形状を箱型にすることによりたばこ箱を荷崩れすることなく収納できる、箱型の什器本体、２）レール（２）上にセットされた背板（１）をかき出し棒（３）によって、スライドさせることにより、前列のたばこ箱が全て無くなったのち、後列のたばこ箱を前方へかき出すことを可能にしたスライド式の構造、３）視認性を高めるためにダミーホルダー（４）に、たばこ箱のケースを模したダミーカードを挿し込めるようにしたカードホルダー、以上からなるスライド式タバコ専用什器。
【手続補正書】
【提出日】平成22年7月9日(2010.7.9)
【手続補正１】
【補正対象書類名】実用新案登録請求の範囲
【補正対象項目名】全文
【補正方法】変更
【補正の内容】
【実用新案登録請求の範囲】
【請求項１】
１）箱型の什器本体２）箱型の什器本体の、内側底部に水平に敷かれたレール（２）に取り付けられ、前記レールに沿ってスライドする背板（１）とかき出し棒（３）３）什器前面に取り付けられた、たばこ箱を模したダミーカードを差し込むためのカードホルダー以上からなるスライド式タバコ専用什器。